(57)【要約】【課題】端子台の着脱を容易にし、サービス性を向上させた空気調和機の室内ユニットを提供すること。【解決手段】電装部品を収納するための電源箱４と、電源箱４に取り付けられた端子台１１と、端子台１１に接続された内外接続電線１３を有し、端子台１１は、電源箱４に設けられたガイド２１、２２、２４によって左右及び上部を位置決めされ、可動式ガイド２５によって下部を係止され、可動式ガイド２５の可動によって端子台１１の着脱が容易となるのでサービス性を向上させた空気調和機の室内ユニットを提供できる。【選択図】図４
2006308217.tif 000002
【特許請求の範囲】
【請求項１】
内外接続電線を接続する端子台は、電源箱に設けられたガイドによって左右及び上部を位置決めされ、可動式ガイドによって下部を係止されることを特徴とする空気調和機の室内ユニット。
【請求項２】
端子台は、電源箱に設けられた左右ガイドに沿って仰角をもってスライド取り付けされることを特徴とする請求項１に記載の空気調和機の室内ユニット。
【請求項３】
端子台下部を係止する可動式ガイドは、突起リブからなる係止部と、前記突起リブの天面から前記可動式ガイド面へと導かれる傾斜リブを有することを特徴とする請求項１または２に記載の空気調和機の室内ユニット。
【発明の詳細な説明】
【技術分野】
【０００１】
本発明は、電源箱を内蔵した空気調和機の室内ユニットに関するものである。
【背景技術】
【０００２】
従来、この種の空気調和機の室内ユニットは電装制御部品を納めた電装箱と称される箱体を本体内に収納しており、電装箱は端子台等を収納する為の開放面を設け、端子台等が表面に露出するような状態で配置される中蓋と、内外接続電線を覆い電装箱に固定された外蓋とを有している（例えば、特許文献１参照）。ここで内外接続電線とは、空気調和機の室内ユニットと室外ユニットの電装部品を接続するため電線である。
【０００３】
図６は、特許文献１に記載された従来の電装箱に中蓋を装着した正面図を示すものである。図６に示すように、電源箱４は、制御基板１２と、端子台１１と、端子台に接続された内外接続電線１３と、端子台１１の一部を表面に露出する端子台開口部４２を有し、電装箱３の開放面を覆う中蓋４１から構成されている。中蓋４１は係止爪４３、４４によって電装箱４に係止される。
【０００４】
また、外蓋（図示せず）は、中蓋４１の押え爪４３によって中蓋４１の前方に装着固定され、差込部４６とねじによって電装箱４に固定される。
【特許文献１】特開２００３−１８５１７５号公報
【発明の開示】
【発明が解決しようとする課題】
【０００５】
しかしながら、前記従来の構成では、製品組立や市場での製品据付等の端子台を着脱する時に、端子台とその他の電源箱収納部品を覆う中電源蓋と外電源蓋を取り外し、更にねじを取り外さなくてはならないために時間がかかるという課題を有していた。
【０００６】
また、機器のメンテナンス性の面でも、中電源蓋と外電源蓋を取り外し，更に端子台を着脱する時に、ねじを取り外し、再度ねじを取り付けなければならないため、着脱作業に時間を要する状態になっていた。
【０００７】
本発明は、前記従来の課題を解決するもので、端子台の着脱を容易にし、サービス性を向上させた空気調和機の室内ユニットを提供することを目的とする。
【課題を解決するための手段】
【０００８】
前記従来の課題を解決するために、本発明の空気調和機の室内ユニットは、内外接続電線を接続する端子台は、電源箱に設けられたガイドによって左右及び上部を位置決めされ、可動式ガイドによって下部を係止されたものである。
【０００９】
これによって、端子台はねじを使用することなくガイドによってのみ電源箱に直接固定されているので、手間がかかるねじの取り付け、取り外し作業がなく、更に下部の可動式ガイドを押えるだけで電源箱への係止状態が外れ、端子台の着脱が容易にできる。
【発明の効果】
【００１０】
本発明の空気調和機の室内ユニットは、簡単な構造で、容易な端子台の着脱を実現することにより、空気調和機の取付時やサービス時の作業性を向上させ、時間の短縮もできるのでサービス性が向上し、またビス等の部品削減や組立工数向上によるコストダウンにも寄与することができる。
【発明を実施するための最良の形態】
【００１１】
第１の発明は内外接続電線を接続する端子台を、電源箱に設けられた左右及び上部のガイドによって位置決めし、可動式ガイドによって下部を係止して電源箱に直接固定することにより、手間がかかるねじの取り付け、取り外し作業がなく、更に下部の可動式ガイドを押えるだけで電源箱への係止状態が外れ、端子台の着脱が容易にでき、サービス性の向上や、部品削減等によるコストダウンをすることができる。
【００１２】
第２の発明は、特に、第１の発明の電源箱に設けられた端子台は電源箱に設けられた左右ガイドに沿って仰角をもってスライド取り付けされることにより、手間がかかるねじの取り付け、取り外し作業がなく、端子台の着脱がより容易にでき、サービス性の向上や、部品削減等によるコストダウンをすることができる。
【００１３】
第３の発明は、特に、第１または第２の発明の端子台下部を係止する可動式ガイドには、突起リブからなる係止部と、突起リブの天面から前記可動式ガイド面へと導かれる傾斜リブを有することにより、突起リブが補強できるとともに、端子台をスライド取付する際に突起リブと傾斜リブが押えられて可動式ガイドが奥方向へ可動するので、端子台の着脱がより容易にでき、サービス性の向上や、部品削減等によるコストダウンをすることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機の室内ユニットの正面図、図２は本発明の第１の実施の形態における電源箱単体の正面図、図３は、本発明の第１の実施の形態における電装部品を収納した電源箱の正面図を示すものである。
【００１６】
図１において、空気調和機の室内ユニットは、台枠１上に熱交換器２、送風機３を配設し、その右隣には、電装部品を収納するための電源箱４が設けられている。
【００１７】
図２、図３において、電源箱４の左上には端子台１１、右側には制御基板１２が配設され、端子台１１に接続された内外接続電線１３は、端子台１１の下方でコード止め具１４によって固定されている。内外接続電線１３は、開口部１５を通して室内ユニット外へ導かれ、室外ユニットの電装箱と接続されている。
【００１８】
図４は、本発明の第１の実施の形態における電源箱の要部斜視図、図５は本発明の第１の実施の形態における電源箱のＣ−Ｃ断面における（ａ）は端子台取付時の要部拡大図、（ｂ）は端子台取外し時の要部拡大図を示すものである。
【００１９】
次に、図２〜５を用いて電源箱の構成について、図面を参照にしながら説明する。
【００２０】
電源箱４に取り付けられた端子台１１は、左右方向は右ガイド２１と左ガイド２２で左右を位置決めされ、更に各々のガイド２１、２２の天面に配設された抑え爪２３によって端子台１１は浮かないように押付固定されている。
【００２１】
また、端子台１１の上方は突起ガイド２４、下方は可動式ガイド２５で固定されている。可動式ガイド２５は、電源箱４の端子台１１取付部下方に逆Ｕ字形の貫通穴３１を設けてできた可動部の先端に突起リブ３２を設けた構成で、突起リブ３２の先端と端子台１１の内下端面が略一致することで係合し、突起ガイド２４と可動式ガイド２５で挟持する形
で、端子台１１を上下方向に対して確実に固定することができる。
【００２２】
また、可動式ガイド２５に、先端の突起リブ３２の天面から導かれる傾斜リブ３３を設けることにより、突起リブ３２が補強できるとともに、端子台１１を収納する際に端子台１１を取付部下方からスライドさせると、左右の抑え爪２３により端子台１１が取付部面に押圧を受けながらスライドすることになるので、突起リブ３２と傾斜リブ３３が押えられて可動式ガイド２５が奥方向へ可動する。
【００２３】
端子台１１を確実に奥まで押し込んでセットすると、可動式ガイド２５が反動して端子台１１を取り付ける前の状態に戻り、突起リブ３２の先端と端子台１１の内下端面が略一致することで係合し、突起ガイド２４と可動式ガイド２５で挟持する形で、上下方向に対して端子台１１が確実に固定される。
【００２４】
また、可動式ガイド２５を押し下げることにより、突起リブ３２と端子台１１の係合が外れ、端子台１１を取付部下方にスライドさせると、端子台１１は電源箱４から容易に取外すことができる。
【００２５】
尚、左右方向を固定している右ガイド２１と左ガイド２２は、端子台１１の形状に合わせた形状としているので、内外接続電線１３の着脱が容易であり、端子台１１のどの側面にもフィットしているので、確実に固定することができると共に、シンプルな構造となる。
【００２６】
更に、端子台１１の取付面は仰角約２０度の傾斜を持たせてあり、可動式ガイド２５をスライド取付・取り外しがし易く、また端子台１１下部に内外接続電線１３を接続し易い。
【００２７】
以上のように、本実施の形態においては内外接続電線を接続する端子台を、電源箱に設けられたガイドによって左右及び上部を位置決めされ、可動式ガイドによって下部を係止し、電源箱に直接固定することにより、手間がかかるねじの取り付け、取り外し作業がなく、更に下部の可動式ガイドを押えるだけで電源箱への係止状態が外れるので、端子台の着脱が容易にでき、サービス性の向上や、部品削減等によるコストダウンをすることができる。
【００２８】
また、本実施の形態の電源箱に設けられた端子台の左右及び上部を位置決め固定する突起ガイドを、端子台形状に設けられた凹部穴としてもよい。
【産業上の利用可能性】
【００２９】
以上のように、本発明にかかる空気調和機の室内ユニットは、簡単な構造で、容易な端子台の着脱を実現することにより、サービス性の向上が可能となるので、端子板を使用し、取付工事を伴う電気給湯装置等の用途にも適用できる。
【図面の簡単な説明】
【００３０】
【図１】本発明の実施の形態１における空気調和機の室内ユニットの正面図
【図２】本発明の実施の形態１における電源箱単体の正面図
【図３】本発明の実施の形態１における電装部品を収納した電源箱の正面図
【図４】本発明の実施の形態１における電源箱の要部斜視図
【図５】本発明の実施の形態１における電源箱のＣ−Ｃ断面における（ａ）は端子台取付時の要部拡大図（ｂ）は端子台取外し時の要部拡大図
【図６】従来の電装箱に中蓋を装着した正面図
【符号の説明】
【００３１】
１  台枠
２  熱交換器
３  送風機
４  電源箱
１１  端子台
１２  制御基板
１３  内外接続電線
１４  コード止め具
１５  開口部
２１  右ガイド
２２  左ガイド
２３  抑え爪
２４  突起ガイド
２５  可動式ガイド
３１  貫通穴
３２  突起リブ
３３  傾斜リブ
４１  中蓋
４２  端子台開口部
４３、４４  係止爪
４５  押え爪（係合部）
４６  差込部（係合部）
Ａ  開口部
Ｂ  開口部
【図１】
2006308217.tif 000003
【図２】
2006308217.tif 000004
【図３】
2006308217.tif 000005
【図４】
2006308217.tif 000006
【図５】
2006308217.tif 000007
【図６】
2006308217.tif 000008